(57)【要約】【課題】既存のネットワークが機能していない環境下においても、複数の装置に情報を円滑に配信することができる、情報配信システムおよび情報配信方法を提供する。【解決手段】情報配信システム１００は、放送情報を放送する放送装置１０と、それぞれ所定の位置に設けられかつ前記放送情報を直接的または間接的に受信する複数の第１受信装置１２と、それぞれ移動体に設けられかつ前記放送情報を直接的または間接的に受信する複数の第２受信装置１４とを備える。第１受信装置１２は、第２受信装置１４が所定の通信領域内に位置している場合にその第２受信装置１４に自身が記憶している放送情報を送信し、第２受信装置１４は、第１受信装置１２または他の第２受信装置１４が所定の通信領域内に位置している場合に、その第１受信装置１２またはその第２受信装置１４に自身が記憶している前記放送情報を送信する。【選択図】図１
2019033468.tif 000002
【特許請求の範囲】
【請求項１】
放送波によって所定の情報を放送する放送装置と、
それぞれ所定の位置に設けられ、前記放送装置が放送した前記情報を直接的または間接的に受信し、かつ受信した前記情報を記憶する複数の第１受信装置と、
それぞれ移動体に設けられ、前記放送装置が放送した前記情報を直接的または間接的に受信し、かつ受信した前記情報を記憶する複数の第２受信装置と、
を備え、
前記複数の第１受信装置はそれぞれ、前記第２受信装置が所定の通信領域内に位置している場合にその第２受信装置との間で無線通信可能になり、かつその第２受信装置に自身が記憶している前記情報を送信し、
前記複数の第２受信装置はそれぞれ、前記第１受信装置または他の第２受信装置が所定の通信領域内に位置している場合に、その第１受信装置またはその第２受信装置との間で無線通信可能になり、かつその第１受信装置またはその第２受信装置に自身が記憶している前記情報を送信する、情報配信システム。
【請求項２】
前記第１受信装置または前記第２受信装置と通信可能に設けられ、かつ前記第１受信装置または前記第２受信装置が受信した前記情報に基づく通知を行う通知装置を更に備える、請求項１に記載の情報配信システム。
【請求項３】
前記第１受信装置または前記第２受信装置と通信可能に設けられ、複数のモードを有し、かつ前記第１受信装置または前記第２受信装置が受信した前記情報に従ったモードに切り替えられるモード可変装置を更に備える、請求項１または２に記載の情報配信システム。
【請求項４】
前記放送装置は、内容の異なる複数の前記情報を、複数の放送情報として、前記複数の放送情報それぞれに付された識別情報とともに放送し、
前記複数の第１受信装置および前記複数の第２受信装置はそれぞれ、前記放送情報を、その放送情報に付された前記識別情報とともに記憶し、かつ、既に記憶している前記識別情報と同じ前記識別情報が付された前記放送情報を新たに受信した場合には、その新たに受信した前記放送情報の記憶を停止する、請求項１から３のいずれかに記載の情報配信システム。
【請求項５】
放送波によって所定の情報を放送する放送装置と、
それぞれ所定の位置に設けられ、前記放送装置が放送した前記情報を直接的または間接的に受信し、かつ受信した前記情報を記憶する複数の第１受信装置と、
それぞれ移動体に設けられ、前記放送装置が放送した前記情報を直接的または間接的に受信し、かつ受信した前記情報を記憶する複数の第２受信装置と、
を用いて情報を配信する方法であって、
（ａ）少なくとも１つの前記第１受信装置が前記情報を記憶している場合に、前記１つの第１受信装置から所定の通信領域内に位置している前記第２受信装置に、前記１つの第１受信装置が記憶している前記情報を送信する、ステップと、
（ｂ）少なくとも１つの前記第２受信装置が前記情報を記憶している場合に、前記１つの第２受信装置から所定の通信領域内に位置している前記第１受信装置または他の前記第２受信装置に、前記１つの第２受信装置が記憶している前記情報を送信する、ステップと、
を備える、情報配信方法。
【請求項６】
（ｃ）前記第１受信装置または前記第２受信装置と通信可能に設けられた通知装置において、前記第１受信装置または前記第２受信装置が受信した前記情報に基づく通知を行う、ステップ、を更に備える、請求項５に記載の情報配信方法。
【請求項７】
（ｄ）前記第１受信装置または前記第２受信装置と通信可能に設けられかつ複数のモードを有するモード可変装置のモードを、前記第１受信装置または前記第２受信装置が受信した前記情報に従って切り替える、ステップ、を更に備える、請求項５または６に記載の情報配信方法。
【請求項８】
前記放送装置は、内容の異なる複数の前記情報を、複数の放送情報として、前記複数の放送情報それぞれに付された識別情報とともに放送し、
前記複数の第１受信装置および前記複数の第２受信装置はそれぞれ、前記放送情報を、その放送情報に付された前記識別情報とともに記憶し、かつ、既に記憶している前記識別情報と同じ前記識別情報が付された前記放送情報を新たに受信した場合には、その新たに受信した前記放送情報の記憶を停止する、請求項５から７のいずれかに記載の情報配信方法。
【発明の詳細な説明】
【技術分野】
【０００１】
本発明は、放送装置から放送された情報を複数の受信装置によって伝搬するシステムおよび方法に関する。
【背景技術】
【０００２】
従来、地震等の災害が発生して既存の通信ネットワークが正常に機能しなくなった場合でも、端末間において重要な情報を送受信できるようにするためのシステム開発が進められている。
【０００３】
例えば、特許文献１には、安否情報伝達方法が開示されている。特許文献１に開示された安否情報伝達方法では、複数の情報通信端末装置が用いられる。各情報通信端末装置は、安否情報を生成する生成手段と、予め指定された端末装置に割り当てられる指定端末識別情報を登録する登録手段と、生成手段によって生成された安否情報および他の端末装置から受信した安否情報を蓄積する蓄積手段と、蓄積手段に蓄積された安否情報を予め設定された通信エリア内の端末装置に送信する送信手段とを備えている。
【０００４】
特許文献１の安否情報伝達方法では、任意の端末装置から送信された安否情報を、複数の端末装置を介して、指定端末識別情報により指定される端末装置に伝達することができる。端末装置間の安否情報の送受信は、Ｗｉ−Ｆｉ（登録商標）またはＢｌｕｅｔｏｏｔｈ（登録商標）等の無線通信方式を利用して行われる。このため、特許文献１の安否情報伝達方法では、既存のネットワークを経由せずに、任意の端末装置から、互いに近接する複数の端末装置を介して、予め指定した端末装置に安否情報を伝達することができる。
【先行技術文献】
【特許文献】
【０００５】
【特許文献１】特開２００９−２５９０４４号公報
【発明の概要】
【発明が解決しようとする課題】
【０００６】
ところで、災害時には、個人の安否情報だけでなく、災害の発生場所、避難場所および避難経路等の種々の情報を、複数の人に配信したいという要望がある。この点に関しては、特許文献１に開示された方法を用いる場合、特定の端末装置から、安否情報とともに避難場所等を知らせるための情報を発信することによって、複数の端末装置に避難場所等を知らせることが可能になると考えられる。
【０００７】
しかしながら、特許文献１に開示された方法を利用する場合、情報を発信する端末装置の近くに複数の端末装置が存在していなければ、複数の端末装置に情報を円滑に配信することができない。
【０００８】
本発明の目的の一例は、既存のネットワークが機能していない環境下においても、複数の装置に情報を円滑に配信することができる、情報配信システムおよび情報配信方法を提供することにある。
【課題を解決するための手段】
【０００９】
上記目的を達成するため、本発明の一側面における情報配信システムは、
放送波によって所定の情報を放送する放送装置と、
それぞれ所定の位置に設けられ、前記放送装置が放送した前記情報を直接的または間接的に受信し、かつ受信した前記情報を記憶する複数の第１受信装置と、
それぞれ移動体に設けられ、前記放送装置が放送した前記情報を直接的または間接的に受信し、かつ受信した前記情報を記憶する複数の第２受信装置と、
を備え、
前記複数の第１受信装置はそれぞれ、前記第２受信装置が所定の通信領域内に位置している場合にその第２受信装置との間で無線通信可能になり、かつその第２受信装置に自身が記憶している前記情報を送信し、
前記複数の第２受信装置はそれぞれ、前記第１受信装置または他の第２受信装置が所定の通信領域内に位置している場合に、その第１受信装置またはその第２受信装置との間で無線通信可能になり、かつその第１受信装置またはその第２受信装置に自身が記憶している前記情報を送信する、
ことを特徴とする。
【００１０】
また、上記目的を達成するため、本発明の一側面における情報配信方法は、
放送波によって所定の情報を放送する放送装置と、
それぞれ所定の位置に設けられ、前記放送装置が放送した前記情報を直接的または間接的に受信し、かつ受信した前記情報を記憶する複数の第１受信装置と、
それぞれ移動体に設けられ、前記放送装置が放送した前記情報を直接的または間接的に受信し、かつ受信した前記情報を記憶する複数の第２受信装置と、
を用いて情報を配信する方法であって、
（ａ）少なくとも１つの前記第１受信装置が前記情報を記憶している場合に、前記１つの第１受信装置から所定の通信領域内に位置している前記第２受信装置に、前記１つの第１受信装置が記憶している前記情報を送信する、ステップと、
（ｂ）少なくとも１つの前記第２受信装置が前記情報を記憶している場合に、前記１つの第２受信装置から所定の通信領域内に位置している前記第１受信装置または他の前記第２受信装置に、前記１つの第２受信装置が記憶している前記情報を送信する、ステップと、
を備えることを特徴とする。
【発明の効果】
【００１１】
以上のように本発明によれば、既存のネットワークが機能していない環境下においても、複数の装置に情報を円滑に配信することができる。
【図面の簡単な説明】
【００１２】
【図１】図１は、本発明の実施の形態における情報配信システムの概略構成を示す図である。
【図２】図２は、情報配信システムの具体的構成を示す図である。
【図３】図３は、本実施形態における配信システムの利用例を説明するための図である。ある。
【図４】図４は、本発明の実施の形態における情報配信システムの動作を示すフロー図である。
【発明を実施するための形態】
【００１３】
（実施の形態）
以下、本発明の実施の形態における情報配信システムおよび情報配信方法について、図１〜４を参照しながら説明する。
【００１４】
［システム構成］
最初に、図１を用いて、本発明の実施の形態における情報配信システムの概略構成について説明する。図１は、本発明の実施の形態における情報配信システムの概略構成を示す図である。
【００１５】
図１を参照して、本実施の形態における情報配信システム１００（以下、配信システム１００と略記する。）は、放送装置１０と、複数の第１受信装置１２と、複数の第２受信装置１４とを備えている。なお、図１においては、２つの第１受信装置１２と２つの第２受信装置１４とを示しているが、第１受信装置１２の数および第２受信装置１４の数はそれぞれ２つに限定されず、３つ以上であってもよい。
【００１６】
放送装置１０は、放送波によって所定の情報（以下、放送情報と記載する。）を放送する。本実施形態では、放送装置１０は、例えばＶ−Ｌｏｗ（ＶＨＦ−Ｌｏｗ）マルチメディア放送波によって、放送情報を放送する。放送情報は、例えば、音声データ、テキストデータ、又は画像データ等の種々のデジタルデータによって構成される。本実施形態では、例えば、防災情報（災害の発生を知らせる情報、避難を指示する情報、避難場所を示す情報、又は避難経路を示す情報等）を示すデータが放送情報として放送される。
【００１７】
複数の第１受信装置１２は、それぞれ所定の位置に設けられる。第１受信装置１２は、放送装置１０が放送した放送情報を直接的または間接的に受信し、かつ受信した放送情報を記憶する。なお、本実施形態において第１受信装置１２が放送情報を間接的に受信するとは、放送情報を第２受信装置１４から受信することを意味する。
【００１８】
複数の第２受信装置１４はそれぞれ、後述するように、移動体に設けられる。第２受信装置１４は、放送装置１０が放送した放送情報を直接的または間接的に受信し、かつ受信した放送情報を記憶する。なお、本実施形態において第２受信装置１４が放送情報を間接的に受信するとは、放送情報を第１受信装置１２または他の第２受信装置１４から受信することを意味する。
【００１９】
本実施形態では、第１受信装置１２は、いずれかの第２受信装置１４が所定の通信領域内に位置している場合に、その第２受信装置１４との間で無線通信可能になる。また、第１受信装置１２は、自身が記憶している放送情報を、無線通信可能になった第２受信装置１４に送信する。
【００２０】
また、第２受信装置１４は、いずれかの第１受信装置１２または他の第２受信装置１４が所定の通信領域内に位置している場合に、その第１受信装置１２またはその第２受信装置１４との間で無線通信可能になる。また、第２受信装置１４は、自身が記憶している放送情報を、無線通信可能になった第１受信装置１２または他の第２受信装置１４に送信する。
【００２１】
以上のように、本実施形態では、第２受信装置１４は、自身が放送情報を記憶していない場合には、無線通信可能になったいずれかの第１受信装置１２または他の第２受信装置１４から放送情報を取得することができる。また、第２受信装置１４は、自身が放送情報を記憶している場合には、無線通信可能になったいずれかの第１受信装置１２または他の第２受信装置１４に放送情報を送信することができる。
【００２２】
上記のような第２受信装置１４の機能により、例えば、放送装置１０から放送された放送情報が、全ての第１受信装置１２および全ての第２受信装置１４によって直接的に受信されなくても、複数の第１受信装置１２および複数の第２受信装置１４のいずれかが放送情報を受信することによって、その放送情報を複数の第１受信装置１２および複数の第２受信装置１４に伝搬することができる。すなわち、複数の第１受信装置１２および複数の第２受信装置１４のいずれかが放送情報を受信することによって、放送情報を受信できない位置の第１受信装置１２または第２受信装置１４に放送情報を伝搬することができる。このようにして、本実施形態では、既存のネットワークが機能していない環境下においても、複数の受信装置に対して放送情報を円滑に配信することができる。
【００２３】
続いて、本発明の実施の形態における情報配信システムについて更に具体的に説明する。
【００２４】
図２は、配信システム１００の具体的構成を示す図である。図２を参照して、本実施形態では、配信システム１００は、上述の放送装置１０、複数の第１受信装置１２および複数の第２受信装置１４に加えて、通知装置１６およびモード可変装置１８を備えている。
【００２５】
通知装置１６は、第１受信装置１２と通信可能に設けられ、かつ第１受信装置１２が受信した放送情報に基づく通知を行う。通知装置１６は、有線または無線のネットワークによって第１受信装置１２に接続されている。本実施形態では、通知装置１６は、第１受信装置１２の後述する制御部１２ｄに制御されることによって、放送情報に基づく通知を行う。
【００２６】
通知装置１６としては、例えば、デジタルサイネージ、信号機、電話機、および非常灯等を挙げることができる。通知装置１６がデジタルサイネージである場合には、例えば、デジタルサイネージは、放送情報に基づく通知として、第１受信装置１２が受信した放送情報に含まれる防災情報等を表示する。通知装置１６が信号機である場合には、例えば、信号機は、放送情報に基づく通知として、通行止めであることを示す点滅表示等を行う。通知装置１６が電話機である場合には、例えば、電話機は、放送情報に基づく通知として鳴動する。通知装置１６が非常灯である場合には、例えば、非常灯は、放送情報に基づく通知として、点灯または点滅等を行う。なお、詳細な説明は省略するが、通知装置１６としては、放送情報に基づく通知を行うことができる種々の装置を用いることができ、ラジオ受信装置およびテレビジョン受信装置等を通知装置１６として用いてもよい。
【００２７】
モード可変装置１８は、第１受信装置１２と通信可能に設けられる。モード可変装置１８は、複数のモードを有し、かつ第１受信装置１２が受信した放送情報に従ったモードに切り替えられる。モード可変装置１８は、有線または無線のネットワークによって第１受信装置１２に接続されている。本実施形態では、モード可変装置１８は、第１受信装置１２の後述する制御部１２ｄに制御されることによって、任意のモードに切り換えられる。
【００２８】
本実施形態では、モード可変装置１８は、例えば、通常モードおよび災害モードを有している。本実施形態では、第１受信装置１２の制御部１２ｄは、受信した放送情報がモード切替を指示する命令を含む場合には、モード可変装置１８のモードを通常モードまたは災害モードに切り換える。
【００２９】
モード可変装置１８としては、例えば、避難場所の鍵（例えば、学校の門の鍵）の施錠（通常モード時）および開錠（災害モード時）を行う鍵管理装置又は自動販売機等を挙げることができる。モード可変装置１８が鍵管理装置である場合には、鍵管理装置は、例えば、災害モードに切り換えられることによって開錠を行う。モード可変装置１８が自動販売機である場合には、自動販売機は、例えば、災害モードに切り換えられることによって、商品の無償提供を行う。なお、詳細な説明は省略するが、モード可変装置１８としては、複数のモード（例えば、通常モードおよび災害モード）を有する種々の装置を用いることができ、電気自動車用の充電器、給水装置、および現金自動預け払い機等をモード可変装置１８として用いてもよい。
【００３０】
放送装置１０は、上述したように、例えばＶ−Ｌｏｗ（ＶＨＦ−Ｌｏｗ）マルチメディア放送波によって、放送情報を放送する。本実施形態では、放送装置１０は、内容の異なる複数の放送情報を放送する。また、本実施形態では、放送装置１０は、複数の放送情報それぞれに識別情報を付して、その識別情報を放送情報とともに放送する。例えば、放送装置１０が、災害発生情報、避難指示情報、および避難場所情報等の異なる複数の情報を放送情報として放送する場合、各情報に対して互いに異なる識別情報が付される。
【００３１】
複数の第１受信装置１２はそれぞれ、上述したように、所定の位置に設けられる。各第１受信装置１２は、受信部１２ａ、送受信部１２ｂ、記憶部１２ｃ、および制御部１２ｄを備えている。受信部１２ａは、放送装置１０が放送した放送情報およびその放送情報に付された識別情報を受信する。本実施形態では、受信部１２ａは、Ｖ−Ｌｏｗ（ＶＨＦ−Ｌｏｗ）マルチメディア放送波を受信可能に構成される。
【００３２】
送受信部１２ｂは、無線通信可能になった第２受信装置１４から送信された放送情報およびその放送情報に付された識別情報を受信する。また、送受信部１２ｂは、記憶部１２ｃに放送情報が記憶されている場合には、その放送情報およびその放送情報に付された識別情報を無線通信可能になった第２受信装置１４へ送信する。本実施形態では、送受信部１２ｂは、例えば、ＷｉＦｉ（登録商標）およびＢｌｕｅｔｏｏｔｈ（登録商標）等の公知の近距離無線通信の通信規格を利用して、無線通信を行なうことができる。
【００３３】
記憶部１２ｃは、受信部１２ａまたは送受信部１２ｂが受信した放送情報を、その放送情報に付された識別情報とともに記憶する。なお、本実施形態では、記憶部１２ｃは、受信部１２ａまたは送受信部１２ｂが新たな放送情報を受信した場合に、その放送情報およびその放送情報に付された識別情報を記憶する。具体的には、受信部１２ａ又は送受信部１２ｂは、他の装置（放送装置１０又は第２受信装置１４）から放送情報を受信した場合に、その放送情報に付された識別情報と、記憶部１２ｃに記憶されている識別情報とを比較する。そして、受信部１２ａ又は送受信部１２ｂが受信した放送情報に付された識別情報が記憶部１２ｃに記憶されていない場合には、受信部１２ａ又は送受信部１２ｂは、受信したその放送情報および識別情報を、記憶部１２ｃに記憶させる。一方、受信部１２ａ又は送受信部１２ｂが受信した放送情報に付された識別情報が記憶部１２ｃに既に記憶されている場合には、受信部１２ａ又は送受信部１２ｂは、受信したその放送情報および識別情報を、記憶部１２ｃに新たに記憶させない。
【００３４】
制御部１２ｄは、受信部１２ａまたは送受信部１２ｂが受信した放送情報に基づいて、通知装置１６またはモード可変装置１８を制御する。本実施形態では、制御部１２ｄは、放送情報に、通知装置１６による通知を指示する命令が含まれている場合には、通知装置１６を制御して、上述のように通知装置１６による通知を行う。また、本実施形態では、制御部１２ｄは、放送情報に、モード可変装置１８のモード切替を指示する命令が含まれている場合には、モード可変装置１８を制御して、モード可変装置１８のモードを切り換える。
【００３５】
複数の第２受信装置１４はそれぞれ、上述したように、移動体に設けられる。移動体は、例えば、人であってもよく、人以外の動物であってもよく、物（自動車、自転車、バイク、店舗で利用されるカート、または荷物等）であってもよい。第２受信装置１４としては、例えば、タブレット型端末およびスマートフォン等の携帯型の端末装置を用いることができる。また、第２受信装置１４を、自動車に設けられた機器（例えば、カーナビゲーションシステム）において構築してもよい。
【００３６】
各第２受信装置１４は、受信部１４ａ、送受信部１４ｂ、および記憶部１４ｃを備えている。受信部１４ａは、放送装置１０が放送した放送情報およびその放送情報に付された識別情報を受信する。本実施形態では、受信部１４ａは、Ｖ−Ｌｏｗ（ＶＨＦ−Ｌｏｗ）マルチメディア放送波を受信可能に構成される。
【００３７】
送受信部１４ｂは、無線通信可能になった第１受信装置１２または無線通信可能になった他の第２受信装置１４から送信された放送情報およびその放送情報に付された識別情報を受信する。また、送受信部１４ｂは、記憶部１４ｃに放送情報が記憶されている場合には、その放送情報およびその放送情報に付された識別情報を無線通信可能になった第１受信装置１２又は無線通信可能になった他の第２受信装置１４へ送信する。本実施形態では、送受信部１４ｂは、例えば、ＷｉＦｉ（登録商標）およびＢｌｕｅｔｏｏｔｈ（登録商標）等の公知の近距離無線通信の通信規格を利用して、無線通信を行なうことができる。
【００３８】
記憶部１４ｃは、受信部１４ａまたは送受信部１４ｂが受信した放送情報を、その放送情報に付された識別情報とともに記憶する。なお、本実施形態では、記憶部１４ｃは、受信部１４ａまたは送受信部１４ｂが新たな放送情報を受信した場合に、その放送情報およびその放送情報に付された識別情報を記憶する。具体的には、受信部１４ａまたは送受信部１４ｂは、他の装置（放送装置１０、第１受信装置１２、又は他の第２受信装置１４）から放送情報を受信した場合に、その放送情報に付された識別情報と、記憶部１４ｃに記憶されている識別情報とを比較する。そして、受信部１４ａ又は送受信部１４ｂが受信した放送情報に付された識別情報が記憶部１４ｃに記憶されていない場合には、受信部１４ａ又は送受信部１４ｂは、受信したその放送情報および識別情報を、記憶部１４ｃに記憶させる。一方、受信部１４ａ又は送受信部１４ｂが受信した放送情報に付された識別情報が記憶部１４ｃに既に記憶されている場合には、受信部１４ａ又は送受信部１４ｂは、受信したその放送情報および識別情報を、記憶部１４ｃに新たに記憶させない。
【００３９】
以上のように、本実施形態においても、複数の第１受信装置１２および複数の第２受信装置１４のいずれかが放送情報を受信することによって、放送情報を受信できない位置（例えば、地下街および屋内等）の第１受信装置１２または第２受信装置１４に放送情報を伝搬することができる。このようにして、本実施形態では、既存のネットワークが機能していない環境下においても、複数の受信装置に対して放送情報を円滑に配信することができる。
【００４０】
また、本実施形態においては、通知装置１６が放送情報に基づく通知を行う。これにより、放送電波が届かない位置にいる人、または既存のネットワークを利用できない環境にいる人にも、通知装置１６を介して、所定の情報を通知することができる。
【００４１】
また、本実施形態では、第１受信装置１２によってモード可変装置１８のモード切替が行われる。これにより、放送電波が届かない位置に設置されたモード可変装置１８のモードを適切に切り替えることができる。その結果、例えば、災害時等において、広範囲の複数の施設および地域において、災害時に必要となる装置を適切な状態にすることができる。
【００４２】
また、本実施形態では、第１受信装置１２および第２受信装置１４はそれぞれ、既に記憶している放送情報に付された識別情報と同じ識別情報が付された放送情報を新たに受信した場合、その放送情報の新たな記憶を停止する。このため、第１受信装置１２および第２受信装置１４それぞれに搭載される記憶部の容量を、必要以上に大きくしなくてよい。したがって、配信システム１００を構築するためのコストの増加を抑制できる。
【００４３】
［システムの利用例］
次に、配信システム１００の利用例について簡単に説明する。図３は、本実施形態における配信システム１００の利用例を説明するための図である。なお、図３においては、通知装置として、複数のデジタルサイネージ１６ａおよび複数の信号機１６ｂが示され、モード可変装置として、複数の自動販売機１８ａが示されている。また、移動体として、道路上を移動する車５０および複数の人５２が示されている。
【００４４】
図３に示す例では、複数のデジタルサイネージ１６ａ、複数の信号機１６ｂおよび複数の自動販売機１８ａにそれぞれ、第１受信装置１２が設けられている。また、車５０に第２受信装置１４が設けられている。さらに、複数の人５２がそれぞれ、第２受信装置１４を所持している。
【００４５】
図３に示す例では、複数の第１受信装置１２および複数の第２受信装置１４のうちのいずれかが放送装置１０から放送された放送情報を受信した場合、その放送情報を、車５０に設けられた第２受信装置１４または人５２が所持する第２受信装置１４によって、複数の第１受信装置１２および複数の第２受信装置１４に配信することができる。これにより、災害時等において既存のネットワークが利用できない場合でも、デジタルサイネージ１６ａおよび信号機１６ｂにおいて状況に応じた適切な表示を行うことができ、かつ自動販売機１８ａを状況に応じた適切なモードに切り替えることができる。
【００４６】
［システム動作］
次に、本発明の実施の形態における情報配信システムの動作について、図４を用いて説明する。図４は、本発明の実施の形態における情報配信システムの動作を示すフロー図である。以下の説明においては、適宜図１及び図２を参酌する。また、本実施の形態では、情報配信システム１００を動作させることによって、情報配信方法が実施される。よって、本実施の形態における情報配信方法の説明は、以下の情報配信システム１００の動作説明に代える。
【００４７】
図４に示すように、配信システム１００においては、上述したように、まず、放送装置１０が所定の情報（放送情報）を放送する（ステップＳ１）。次に、複数の第１受信装置１２および複数の第２受信装置１４のいずれかにおいて、放送装置１０から放送された放送情報が受信される（ステップＳ２）。
【００４８】
ステップＳ２においていずれかの第１受信装置１２が放送情報を記憶した場合、上述したように、その第１受信装置１２が、所定の通信領域内に位置している第２受信装置１４との間で無線通信可能になり、かつ自身が記憶している放送情報を無線通信可能になった第２受信装置１４に送信する（ステップＳ３）。なお、ステップＳ２において第１受信装置１２が放送情報を記憶していない場合（すなわち、第２受信装置１４においてのみ放送情報が記憶されている場合）には、ステップＳ３の処理のうち、放送情報を送信する処理はスキップされる。
【００４９】
次に、第２受信装置１４が、上述したように、所定の通信領域内に位置している第１受信装置１２または他の第２受信装置１４との間で無線通信可能になり、かつ自身が記憶している放送情報を無線通信可能になった第１受信装置１２または他の第２受信装置１４に送信する（ステップＳ４）。
【００５０】
次に、いずれかの第１受信装置１２が、上述したように、放送情報に基づいて通知装置１６を制御する（ステップＳ５）。また、いずれかの第１受信装置１２が、上述したように、放送情報に基づいてモード可変装置１８を制御する（ステップＳ６）。
【００５１】
以上のようにして、本実施形態では、放送装置１０から放送された情報を、第２受信装置１４によって複数の装置に円滑に配信することができる。なお、ステップＳ２においては、上述したように、第１受信装置１２および第２受信装置１４はそれぞれ、既に記憶している放送情報に付された識別情報と同じ識別情報が付された放送情報を新たに受信した場合には、その放送情報を新たに記憶しない。
【００５２】
［変形例］
上述の実施形態では、１つの第１受信装置１２に１つの通知装置１６または１つのモード可変装置１８が接続される場合について説明したが、１つの第１受信装置１２に複数の通知装置１６または複数のモード可変装置１８が接続されていてもよく、１つの第１受信装置１２に通知装置１６およびモード可変装置１８が同時に接続されていてもよい。
【００５３】
上述の実施形態では、第１受信装置１２が通知装置１６およびモード可変装置１８を制御する場合について説明したが、第２受信装置１４が通知装置１６およびモード可変装置１８を制御してもよい。この場合、例えば、第２受信装置１４に、所定の通信領域内に位置している通知装置１６またはモード可変装置１８を制御できる制御部が設けられる。この制御部によって、上述の制御部１２ｄと同様に、通知装置１６およびモード可変装置１８を制御すればよい。
【産業上の利用可能性】
【００５４】
以上のように、本発明によれば、既存のネットワークが機能していない環境下においても、複数の装置に情報を円滑に配信することができる。
【符号の説明】
【００５５】
１０    放送装置
１２    第１受信装置
１４    第２受信装置
５０，５２    移動体
１００    情報配信システム
【図１】
2019033468.tif 000003
【図２】
2019033468.tif 000004
【図３】
2019033468.tif 000005
【図４】
2019033468.tif 000006